【事件の表示】
　特願２００５−３１１９３８「電子写真装置」拒絶査定不服審判事件〔平成１９年　５月１７日出願公開、特開２００７−１２１５７３〕について、次のとおり審決する。
【結　論】
　本件審判の請求は、成り立たない。
【理　由】
第１　手続の経緯
　本願は、平成１７年１０月２６日の出願であって、平成２１年２月２日付けで通知された拒絶理由に対して、同年４月１３日付けで手続補正書が提出されたが、同年７月１日付けで拒絶査定がなされ、これに対して、同年９月１８日付けで審判請求がなされるとともに、同日付けで手続補正書が提出され、その後、当審における審尋に対する回答書が平成２２年４月１４日付けで提出されたものである。
　
　
第２　平成２１年９月１８日付けの手続補正の却下の決定
　
［補正却下の決定の結論］
　平成２１年９月１８日付けの手続補正（以下、「本件補正」という。）を却下する。
　
［理由］
１．補正後の本願発明
　本件補正には、特許請求の範囲を次のように補正しようとする事項が含まれている。
　
（補正前）
　「【請求項１】
　表面に静電潜像が形成され回転駆動される静電潜像担持体と、該静電潜像担持体表面を所定の電位に帯電させる帯電装置とを備える電子写真装置であって、
　上記帯電装置が、上記静電潜像担持体と対向する位置に、該静電潜像担持体の回転方向と直交する方向を軸方向として配置され、高電圧が印加される１本のワイヤーと、該ワイヤーをシールドし、上記静電潜像担持体と対向する面が開放されたシールド電極と、該シールド電極の開放された面に配置されたメッシュ状のグリッド電極とを備えたスコロトロン帯電装置であり、
　上記グリッド電極は、メッシュの目開きが互いに異なる粗領域及び密領域を有しており、
　上記粗領域と密領域とが、静電潜像担持体の回転方向上流側から下流側に向かってこの順に配置されていると共に、
　上記粗領域と密領域との境界が、上記静電潜像担持体の上記１本のワイヤーからの放電による表面電位の強度を示す分布のピークに対応する位置よりも静電潜像担持体の回転方向上流側に位置し、上記ピークが上記密領域に位置することを特徴とする電子写真装置。
　【請求項２】
　上記グリッド電極は、複数のスリットを有しており、
　上記粗領域のスリット幅が２．０〜２．６ｍｍ、スリットピッチが２．１５〜２．７７ｍｍであり、上記密領域のスリット幅が１．２〜１．６ｍｍ、スリットピッチが１．３５〜１．７７ｍｍであることを特徴とする請求項１に記載の電子写真装置。
　【請求項３】
　上記グリッド電極は、複数の多角形の開口を有しており、
　上記粗領域の開口に外接する外接円の径が４．０〜４．５ｍｍ、外接円のピッチが４．２５〜４．７７ｍｍであり、上記密領域の開口に外接する外接円の径が３．５〜４．０ｍｍ、外接円のピッチが３．７５〜４．２７ｍｍであることを特徴とする請求項１に記載の電子写真装置。
　【請求項４】
　上記静電潜像担持体の周速度が４００ｍｍ／ｓｅｃ以上であることを特徴とする請求項１ないし３のいずれか１項に記載の電子写真装置。
　【請求項５】 
　上記グリッド電極に印加する電位が、静電潜像担持体表面の帯電電位として設定されている電位と略同じであることを特徴とする請求項１ないし４のいずれか１項に記載の電子写真装置。」
　
（補正後）
　「【請求項１】
　表面に静電潜像が形成され回転駆動される静電潜像担持体と、該静電潜像担持体表面を所定の電位に帯電させる帯電装置とを備える電子写真装置であって、
　上記静電潜像担持体の周速度が４００ｍｍ／ｓｅｃ以上であり、
　上記帯電装置が、上記静電潜像担持体と対向する位置に、該静電潜像担持体の回転方向と直交する方向を軸方向として配置され、高電圧が印加される１本のワイヤーと、該ワイヤーをシールドし、上記静電潜像担持体と対向する面が開放されたシールド電極と、該シールド電極の開放された面に配置されたメッシュ状のグリッド電極とを備えたスコロトロン帯電装置であり、
　上記ワイヤーは、上記帯電装置において上記静電潜像担持体の回転方向の中心に位置しており、
　上記グリッド電極は、メッシュの目開きが互いに異なる粗領域及び密領域を有しており、
　上記粗領域と密領域とが、静電潜像担持体の回転方向上流側から下流側に向かってこの順に配置されていると共に、
　上記粗領域と密領域との境界が、上記静電潜像担持体の上記１本のワイヤーからの放電による表面電位の強度を示す分布のピークに対応する位置よりも静電潜像担持体の回転方向上流側に位置し、上記ピークが上記密領域に位置し、
　かつ、上記静電潜像担持体及び上記シールド電極が、静電潜像担持体の周速度が４００ｍｍ／ｓｅｃ未満の既存の低速機で使用されている静電潜像担持体及びシールド電極と同サイズでありながら、周速度４００ｍｍ/ｓｅｃ以上において上記スコロトロン帯電装置にて上記静電潜像担持体を上記所定の電位に帯電させ得るように、上記グリッド電極は、複数のスリットを有しており、上記粗領域のスリット幅が２．０〜２．６ｍｍ、スリットピッチが２．１５〜２．７７ｍｍであり、上記密領域のスリット幅が１．２〜１．６ｍｍ、スリットピッチが１．３５〜１．７７ｍｍであることを特徴とする電子写真装置。
　【請求項２】
　表面に静電潜像が形成され回転駆動される静電潜像担持体と、該静電潜像担持体表面を所定の電位に帯電させる帯電装置とを備える電子写真装置であって、
　上記静電潜像担持体の周速度が４００ｍｍ／ｓｅｃ以上であり、
　上記帯電装置が、上記静電潜像担持体と対向する位置に、該静電潜像担持体の回転方向と直交する方向を軸方向として配置され、高電圧が印加される１本のワイヤーと、該ワイヤーをシールドし、上記静電潜像担持体と対向する面が開放されたシールド電極と、該シールド電極の開放された面に配置されたメッシュ状のグリッド電極とを備えたスコロトロン帯電装置であり、
　上記ワイヤーは、上記帯電装置において上記静電潜像担持体の回転方向の中心に位置しており、
　上記グリッド電極は、メッシュの目開きが互いに異なる粗領域及び密領域を有しており、
　上記粗領域と密領域とが、静電潜像担持体の回転方向上流側から下流側に向かってこの順に配置されていると共に、
　上記粗領域と密領域との境界が、上記静電潜像担持体の上記１本のワイヤーからの放電による表面電位の強度を示す分布のピークに対応する位置よりも静電潜像担持体の回転方向上流側に位置し、上記ピークが上記密領域に位置し、
　かつ、上記静電潜像担持体及び上記シールド電極が、静電潜像担持体の周速度が４００ｍｍ／ｓｅｃ未満の既存の低速機で使用されている静電潜像担持体及びシールド電極と同サイズでありながら、周速度４００ｍｍ/ｓｅｃ以上において上記スコロトロン帯電装置にて上記静電潜像担持体を上記所定の電位に帯電させ得るように、上記グリッド電極は、複数の多角形の開口を有しており、上記粗領域の開口に外接する外接円の径が４．０〜４．５ｍｍ、外接円のピッチが４．２５〜４．７７ｍｍであり、上記密領域の開口に外接する外接円の径が３．５〜４．０ｍｍ、外接円のピッチが３．７５〜４．２７ｍｍであることを特徴とする電子写真装置。
　【請求項３】
上記グリッド電極に印加する電位が、静電潜像担持体表面の帯電電位として設定されている電位と略同じであることを特徴とする請求項１または２に記載の電子写真装置。」
　
　この補正事項は、請求項１〜３を削除するとともに、請求項２を引用する請求項４の部分を、独立項として新たな請求項１とし、請求項３を引用する請求項４の部分を、独立項として新たな請求項２とし、請求項５を請求項３に繰り上げるものである。
　また、新たな請求項１，２には、「上記ワイヤーは、上記帯電装置において上記静電潜像担持体の回転方向の中心に位置しており、」が追加されたが、これは、拒絶査定のなお書きの指摘に対応したもので、不明りょうな記載の釈明といえる。
　加えて、新たな請求項１，２には、「上記静電潜像担持体及び上記シールド電極が、静電潜像担持体の周速度が４００ｍｍ／ｓｅｃ未満の既存の低速機で使用されている静電潜像担持体及びシールド電極と同サイズでありながら、周速度４００ｍｍ/ｓｅｃ以上において上記スコロトロン帯電装置にて上記静電潜像担持体を上記所定の電位に帯電させ得るように、」が追加されたが、これは、請求項１，２の電子写真装置における、静電潜像担持体及びシールド電極のサイズ等の限定をしたものと一応いえる。
　したがって、本件補正は、平成１８年法律第５５号改正附則第３条第１項によりなお従前の例によるとされる同法による改正前の特許法第１７条の２第４項第１号の請求項の削除、同項第２号の特許請求の範囲の減縮、同項第４号の明りょうでない記載の釈明を目的としたものに該当する。
　
　そこで、特許請求の範囲の減縮がなされた、本件補正後の請求項１に記載された発明（以下、「本願補正発明」という。）が、特許出願の際独立して特許を受けることができるものであるか否かについて以下に検討する。
　
２．記載要件について
　本願補正発明には、上記のとおり、本件補正により、「上記静電潜像担持体及び上記シールド電極が、静電潜像担持体の周速度が４００ｍｍ／ｓｅｃ未満の既存の低速機で使用されている静電潜像担持体及びシールド電極と同サイズでありながら、周速度４００ｍｍ/ｓｅｃ以上において上記スコロトロン帯電装置にて上記静電潜像担持体を上記所定の電位に帯電させ得るように、」が追加されており、電子写真装置における、静電潜像担持体及びシールド電極のサイズ等の限定をしたものと一応いえる。
　しかし、「上記静電潜像担持体及び上記シールド電極が、静電潜像担持体の周速度が４００ｍｍ／ｓｅｃ未満の既存の低速機で使用されている静電潜像担持体及びシールド電極と同サイズであり」とは、静電潜像担持体及びシールド電極における、どの部分について、どのようなサイズを意味しているのか、具体的なものを全く把握することができず、発明特定事項を把握することができない。
　また、審判請求書では、補正の根拠として、当初明細書の【０００４】【０００５】【００１４】【００１５】【００３８】【００９７】をあげているので、それら段落をみても、本願の発明は、印加領域である「チャージャーケースの幅（感光体の回転方向の幅）」を従来よりも大きくしないことを前提したものである旨の説明がなされているだけであり、具体的なサイズは何も開示されていないから、明細書の記載を考慮してもなお発明が明確でない。
　したがって、本願補正発明は、その発明特定事項が不明確であるから、特許法第３６条第６項第２号に規定する要件を満たしておらず、特許出願の際独立して特許を受けることができない。
　
３．進歩性について
　次に、本願補正発明を一応記載どおりに認定して、本願補正発明の進歩性についても検討しておく。
　
（１）引用刊行物の記載事項
　原査定の拒絶の理由に引用された、本願の出願前に頒布された、
　特開平１０−２７４８７３号公報（原査定の引用文献１。以下、「刊行物１」という。）、
　特開平８−３００７１号公報（同引用文献２。以下、「刊行物２」という。）、
　特開２０００−１３７３６８号公報（同引用文献３。以下、「刊行物３」という。）、
　特開２００１−３５０３８６号公報（同引用文献４。以下、「刊行物４」という。）、
　には、図面とともに以下の事項が記載されている。なお、下線は当審で付した。
　
（１−１）刊行物１
　（１ａ）「【０００１】
【発明の属する技術分野】本発明はスコロトロン帯電器にグリッド電極を設けた、いわゆるスコロトロン帯電器により感光体表面に帯電を行なう画像形成装置の帯電方法に係り、特に前記スコロトロン帯電器のグリッド電極形状の開口形状に変化をもたせて、感光体に対する帯電能力を向上させた帯電方法に関する。」
　
　（１ｂ）「【０００４】
【発明が解決しようとする課題】一方近年高耐久性の面よりａ−Ｓｉ感光体ドラムを用いているが、かかるａ−Ｓｉ感光体ドラムは、ＯＰＣ感光体ドラムと同じ電位となるように帯電させるためには３〜４倍の電流を必要とする。そのため前記スコロトロン型帯電器におけるグリッド開口率を全面にわたって一定にした従来型のグリッドを持つスコロトロン型帯電器を使用して、ａ−Ｓｉ感光体ドラムを帯電させた場合、グリッド電位と、グリッド形状から決まる遮断電圧（帯電器から感光体に電流が流れなくなる感光体表面電位）と比較して、帯電器を抜けた点での感光体の帯電電位が極端に低くなる。このため、表面酸化物の付着等に起因する放電ワイヤの汚染により放電ワイヤの電圧が見かけ上極端に高くなった場合には、感光体帯電電位が異常に上昇してしまうという問題点があった。
【０００５】また、グリッド電極が汚染した場合にも、該グリッド電極に流れ込む電流が減少するため、感光体に流れ込む電流が大きくなり、放電ワイヤが汚染した場合と同様に、感光体帯電電位が異常に上昇してしまうという問題点があった。この問題はａ−Ｓｉ感光体ドラムに必ずしも特有の課題であるのみならず、ＯＰＣ感光体ドラムを用いた場合であっても、帯電器の幅、具体的には感光体ドラム回転方向の帯電器幅を小さくした場合に同様な現象が起こり得る。
【０００６】かかる欠点を解消するには帯電器を極端に大型化し、帯電時間を十分とるか、もしくは放電ワイヤの電圧を高くすることで、遮断電圧と帯電電圧の差をできる限り小さくすることが可能であり、こうすることで放電ワイヤが汚染した場合の帯電特性の変化を抑えることができる。また、グリッド電極のグリッドパターンを細密化し、グリッド電極の開口部分の面積を小さくすることで、グリッドが汚染した場合の帯電特性の変化を抑えることができる。したがって、これらのことを両立させるような設計にすればよいのだが、グリッドのパターンを細密化し開口部分の面積を比較的小さくすることは、同時に、感光体に流れ込む電流の比率を小さくすることになり、それ自身は遮断電圧と帯電電圧の差を広げる要因となる。したがって、グリッドの開口部分の比率を小さくした場合には、更に帯電器を大きくし、帯電時間を長くする必要がある。しかしながら帯電器を極端に大型化することは、感光体周辺での帯電器として使用可能なスペースは限られているため、実際はほとんど不可能に近いのみならず小型化と高速化の要請に反する。また、放電ワイヤの電圧を高くするとオゾン発生量の増加及び電源の負荷が大きくなるという問題があった。
【０００７】本発明はかかる技術的課題に鑑み、スコロトロン帯電器のグリッド電極形状の開口形状に変化をもたせて、感光体に対する帯電能力を向上させた帯電方法を提供する事にある。本発明の他の目的は、
小型化
高速化を達成しつつ
感光体ドラムの帯電に好適な画像形成装置の帯電方法
【０００８】
【課題を解決するための手段】かかる課題を解決するために、請求項１記載の発明において、
スコロトロン帯電器のグリッド電極と感光体を所定間隔存して対面配置し、前記感光体を帯電器の上流側から下流側に向かって移動させながら感光体に帯電を行なう画像形成装置の帯電方法において前記グリット電極の開口部の形状を感光体移動方向に対して２つ以上の領域に分割し、前記感光体移動方向に対してグリッド電極上流側から下流側に向かって各々の領域の開口面積の比率を疎から密に設定した
【０００９】かかる発明によれば、前記グリッド電極の開口部分の形状を感光体移動方向に対して２つ以上の領域に分割し、該感光体移動方向方向に対して上流側から下流側に向かって各々の領域のグリッド開口部の比率を徐々に疎から密に設定するか、もしくは領域にあえて分割することなく上流側から下流側に向かって開口面積の比率を疎から密に変化させるように設定することにより、帯電器の小型化及び帯電時間の高速化を図った場合においても、従来の帯電器よりも汚染時の帯電電位上昇を低く抑えることができる。」
　
　（１ｃ）「【００１８】かかる実験結果に基づいて、帯電器のグリッド電極汚染時の帯電電位上昇を解決する為の実施形態を図１に基づいて説明する。
図１
放電ワイヤ１は高圧電源１１印加により前記数ｋＶの電圧となり、放電イオンを発生する
２及び３はそれぞれシールドケースおよびグリッド電極
【００１９】
図２
上流側のグリッド電極３Ａのグリッドパターンを粗くし
Ｎｏ．３
下流側のグリッド電極３Ｂのグリッドパターンを細かくする
Ｎｏ．１
感光体の帯電電位が低い帯電器の上流側では、帯電させる速度が速く、ある程度の電位にすばやく立ち上がることが重要である
そこで、上流側のグリッドパターンを粗くし、下流側のグリッドパターンを細かくすることで、すばやくある程度まで感光体を帯電させ
その後に必要以上の電流を感光体に流さない制御を行なうことが可能である
【００２０】尚、前記グリッド構成は図３に示すように、円形開口３０の直径を徐々に小さくして前記グリット開口部の開口面積の比率を、前記感光体ドラム１０回転方向に対して上流側から下流側に向かって疎から密に徐々に変化させるように設定した場合にも同様な作用を得る事が出来る。」
　
　（１ｄ）　図１，２は次のとおり。
　
　図１，２によれば、
放電ワイヤ１は、回転する感光体ドラム１０と対向する位置に配置されている
　
　（１ｅ）「【００１２】
図５
Ｎｏ．１は
菱形メッシュ状網目グリッド
Ｎｏ．３は
片側傾斜のスリット状グリッド
　
　（１ｆ）図５は次のとおり。
　
　これら記載によれば、刊行物１には次の発明（以下、「刊行物１記載の発明」という。）が記載されているものと認められる。
　
　「回転する感光体ドラム１０と、感光体ドラム１０に帯電を行う帯電器とを備える画像形成装置であって、
　帯電器が、感光体ドラム１０と対向する位置に配置され、高圧電源１１で電圧が印加された放電ワイヤ１と、シールドケース２と、グリッド電極３とを備えたスコロトロン帯電器であり、
　グリッド電極３は、前記グリッド電極の開口部の形状を感光体移動方向に対して２つの領域に分割し、上流側のグリッド電極３Ａのグリッドパターンを片側傾斜のスリット状の粗いものとし、下流側のグリッド電極３Ｂのグリッドパターンを菱形メッシュ状の細かいものとした、
　画像形成装置。」
　
（１−２）刊行物２
　（２ａ）「【０００１】
【産業上の利用分野】本発明は、電子写真装置の帯電装置に関するものである。
【０００２】
【従来の技術】従来の技術を図３、４を用いて説明する。図３は、電子写真装置における帯電プロセス周辺の感光体回転軸に垂直な断面を示している。図４は、角穴部、制御グリッド部の形状を説明するための説明図である。
【０００３】図３中、１は感光体、２は帯電装置である。帯電装置２はコロナ放電電極用ワイヤ２ａ、角穴部２ｂ、制御グリッド部２ｃ、ハウスシ−ルド２ｄから構成される。コロナ放電電極用ワイヤ２ａは感光体１表面から一定の間隙をおいて設けられる。
角穴部２ｂ、制御グリッド部２ｃは図４に示すような形状をしており
角穴部２ｂ、制御グリッド部２ｃは同一平面上に構成され
感光体１の回転方向に対し、上流側が角穴部２ｂに、下流側が制御グリッド部２ｃになっている
【０００４】次に、帯電装置２の動作を説明する。まず、コロナ放電電極用ワイヤ２ａに高電圧を印加すると共に、制御グリッド部２ｃ、およびハウスシ−ルド２ｄに所定の電圧を印加する。この時、高電圧が印加されたことによりコロナ放電電極用ワイヤ２ａではコロナ放電によりコロナイオンが発生し、コロナ放電により発生したコロナイオンはコロナ放電電極用ワイヤ２ａ、制御グリッド部２ｃ、感光体１間に生じる電界により感光体１表面に運ばれ、感光体１表面は帯電される。その際、感光体１は、上流側では角穴部２ｂから直接的にコロナイオンを受けて帯電され、下流側では制御グリッド部２ｃを介して間接的にコロナイオンを受けて帯電される。
【０００５】即ち、この方式は、
上流側ではグリッド電極に流れ込むコロナ電流を無くし帯電効率を向上させ
下流側ではグリッド電極により帯電電位の制御性を向上させる
ハウスシ−ルド２ｄ幅を固定した場合、角穴部２ｂを大きくすると制御グリッド部２ｃは小さくなり、帯電効率は向上するが帯電電位の制御性は低下する
逆に、制御グリッド部２ｃを大きくすると角穴部２ｂは小さくなり、帯電電位の制御性は向上するが帯電効率は低下するために
帯電効率と帯電電位の制御性に問題がないように角穴部２ｂと制御グリッド部２ｃの割合を調整する必要がある
最後に、帯電装置２における問題点は、制御グリッド部２ｃのグリッド電極は下流に行くに従い感光体１表面から離れ、その帯電電位の制御性は急激に小さくなり、下流端周辺のグリッド電極は有効に帯電電位を制御していない点である。」
　
　（２ｂ）図３，４は次のとおり。　
　
　（２ｃ）「【０００６】
【発明が解決しようとする課題】従来の技術において、制御グリッド部におけるグリッド電極は下流側に行くに従い急激にその帯電電位の制御能力は小さくなり、下流端周辺のグリッド電極は有効に帯電電位を制御していない。上記問題を鑑み、本発明は、制御グリッド部における全グリッドが有効に帯電電位を制御する帯電装置を提供することが目的である。
【０００７】
【課題を解決するための手段】上記目的を達成するために、本発明は、角穴部が形成する平面と感光体との間に制御グリッド部を設ける構成とし、制御グリッド部を感光体に接近させることにより全グリッド電極が有効に帯電電位を制御することを可能とした。
【０００８】
【作用】上記のように構成された帯電装置において、感光体は、まず角穴部でコロナ放電電極により直接的に帯電され、続いて制御グリッド部でグリッド電極を介して間接的に帯電される。」
　
（１−３）刊行物３
　（３ａ）「【００３２】次に、本発明の一実施形態に係る感光体帯電装置、すなわち図１における帯電部２の構成および動作を、図２を用いて説明する。図２は、本発明の一実施形態に係る感光体帯電装置（図１における帯電部２）の詳細な構成を示す図である。
図２
【００３３】第１のスコロトロン２１は、ワイヤ２１１と、シールド２１２と、グリッド２１３とで構成される。これら各構成は、従来の技術において説明したスコロトロンと同様である。シールド２１２は、コ字型の金属板である。ワイヤ２１１は、タングステン等の細線であって、シールド２１２内に予め定めた間隔を有して張られ、またシールド２１２とは絶縁されている。
グリッド２１３は、例えば、図６に示すようなスリットや穴（以下、総称してスリットという）を有している金属板、または金属ワイヤが張られた金属フレーム
【００３４】このとき、各々の
グリッド２１３，２２３，２３３の開口率（グリッド全面積に対するスリット面積または金属ワイヤを除く面積の比率をいう）
【００３５】ここで、
スコロトロンにおいて、グリッドの開口率の変化に対して、感光体ドラム表面の帯電均一性および帯電速度にどのような変化が生じるか
図３
スコロトロンのグリッドの開口率が高い場合は、よりコロトロンに近似するので、ワイヤから感光体ドラムへ流れるイオンが多くなって高速に感光体ドラムの表面を帯電できるが、イオン流量のばらつきも多くなるため帯電の均一性が悪くなる
スコロトロンのグリッドの開口率が低い場合は、ワイヤから感光体ドラムへ流れるイオンが少なくなり（大部分のイオンがグリッドに遮られるためである）、イオン流量のばらつきが少なくなることから均一に感光体ドラムの表面を帯電できるが、感光体ドラムの表面を帯電するのに時間がかかることになる（すなわち、高速に帯電ができない）
　
　（３ｂ）図２，３，６は次のとおり。　
　
（１−４）刊行物４
　（４ａ）「【００２５】上記ＲＯＳ１３によってレーザー光ＬＢが走査露光される感光体ドラム１７は、図示しない駆動手段によって矢印方向に沿って所定の速度で回転駆動されるようになっている。この実施の形態では、高速の白黒専用の複写機となっており、
感光体ドラム１７の回転速度（周速）であるプロセススピードは、例えば、４２０ｍｍ／ｓというように、大幅に高速に設定されている
　
（２）対比・判断
　本願補正発明と刊行物１記載の発明とを対比すると、
　刊行物１記載の発明の「回転する感光体ドラム１０と、感光体ドラム１０に帯電を行う帯電器とを備える画像形成装置」は、電子写真方式のものが典型であることは自明であるから、
　刊行物１記載の発明の「回転する感光体ドラム１０」、「感光体ドラム１０に帯電を行う帯電器」、「画像形成装置」は、それぞれ、
　本願補正発明の「表面に静電潜像が形成され回転駆動される静電潜像担持体」、「該静電潜像担持体表面を所定の電位に帯電させる帯電装置」、「電子写真装置」に実質的に相当する。
　
　また、刊行物１記載の発明の、
「感光体ドラム１０と対向する位置に配置され、高圧電源１１で電圧が印加された放電ワイヤ１」、
「シールドケース２」、
「グリッド電極３」（片側傾斜のスリット状の粗いものと、菱形メッシュ状の細かいものがある）、
「スコロトロン帯電器」は、
　刊行物１の図面や技術常識も考慮すると、
　それぞれ、本願補正発明の、
「上記静電潜像担持体と対向する位置に、該静電潜像担持体の回転方向と直交する方向を軸方向として配置され、高電圧が印加される１本のワイヤー」、
「該ワイヤーをシールドし、上記静電潜像担持体と対向する面が開放されたシールド電極」、
「該シールド電極の開放された面に配置されたメッシュ状のグリッド電極」（ここでいうメッシュ状にはスリット状が含まれることは、本願補正発明に「上記グリッド電極は、複数のスリットを有しており」との規定があることからも明らかである。）、
「スコロトロン帯電装置」に、
　実質的に相当する。
　
　刊行物１記載の発明の「グリッド電極３は、前記グリッド電極の開口部の形状を感光体移動方向に対して２つの領域に分割し、上流側のグリッド電極３Ａのグリッドパターンを片側傾斜のスリット状の粗いものとし、下流側のグリッド電極３Ｂのグリッドパターンを菱形メッシュ状の細かいものとした」は、
　片側傾斜のスリット状の粗いものと菱形メッシュ状の細かいものは開口面積が異なるのでメッシュの目開きが異なるということもできるから、
　本願補正発明の「上記グリッド電極は、メッシュの目開きが互いに異なる粗領域及び密領域を有しており、上記粗領域と密領域とが、静電潜像担持体の回転方向上流側から下流側に向かってこの順に配置されている」に相当するということができる。
　
　そうすると、両発明の一致点、相違点は次のとおりと認められる。
　
［一致点］
　「表面に静電潜像が形成され回転駆動される静電潜像担持体と、該静電潜像担持体表面を所定の電位に帯電させる帯電装置とを備える電子写真装置であって、
　上記帯電装置が、上記静電潜像担持体と対向する位置に、該静電潜像担持体の回転方向と直交する方向を軸方向として配置され、高電圧が印加される１本のワイヤーと、該ワイヤーをシールドし、上記静電潜像担持体と対向する面が開放されたシールド電極と、該シールド電極の開放された面に配置されたメッシュ状のグリッド電極とを備えたスコロトロン帯電装置であり、
　上記グリッド電極は、メッシュの目開きが互いに異なる粗領域及び密領域を有しており、
　上記粗領域と密領域とが、静電潜像担持体の回転方向上流側から下流側に向かってこの順に配置されている、
　電子写真装置。」
　
［相違点１］
　本願補正発明は、「上記ワイヤーは、上記帯電装置において上記静電潜像担持体の回転方向の中心に位置しており」、「上記粗領域と密領域との境界が、上記静電潜像担持体の上記１本のワイヤーからの放電による表面電位の強度を示す分布のピークに対応する位置よりも静電潜像担持体の回転方向上流側に位置し、上記ピークが上記密領域に位置し」ているのに対して、
　刊行物１記載の発明は、そのような特定がない点。
　
［相違点２］
　本願補正発明は、「上記静電潜像担持体の周速度が４００ｍｍ／ｓｅｃ以上であり」、「かつ、上記静電潜像担持体及び上記シールド電極が、静電潜像担持体の周速度が４００ｍｍ／ｓｅｃ未満の既存の低速機で使用されている静電潜像担持体及びシールド電極と同サイズでありながら、周速度４００ｍｍ/ｓｅｃ以上において上記スコロトロン帯電装置にて上記静電潜像担持体を上記所定の電位に帯電させ得るように、上記グリッド電極は、複数のスリットを有しており、上記粗領域のスリット幅が２．０〜２．６ｍｍ、スリットピッチが２．１５〜２．７７ｍｍであり、上記密領域のスリット幅が１．２〜１．６ｍｍ、スリットピッチが１．３５〜１．７７ｍｍである」のに対して、
　刊行物１記載の発明では、そのような特定がない点。
　
　そこで、上記相違点について検討する。
　
（相違点１について）
　一般に、スコロトロン帯電装置では、放電ワイヤーを、帯電装置またはシールド電極において静電潜像担持体の回転方向のほぼ中心に位置させることは、普通のことであるから、刊行物１記載の発明において、本願補正発明のごとく、「上記ワイヤーは、上記帯電装置において上記静電潜像担持体の回転方向の中心に位置」するようになすことは、当業者が容易になし得ることである。
　
　次に、グリッド電極における粗領域及び密領域との境界位置について、検討する。
　刊行物２には、スコロトロン帯電装置において、グリッド電極の配置位置に、感光体１の回転方向に対し上流側に角穴部２ｂが、下流側に制御グリッド部２ｃが配置されているものが記載されている。ここで、角穴部２ｂ、制御グリッド部２ｃは、それぞれ、本願補正発明の粗領域、密領域に相当するものといえる。そして、上流側の角穴部２ｂ（粗領域）は、グリッド電極に流れ込むコロナ電流を無くし帯電効率を向上させる作用があり、下流側の制御グリッド部２ｃ（密領域）は、グリッド電極により帯電電位の制御性を向上させるという作用があり、帯電効率と帯電電位の制御性とのバランスを考えて、シールド電極の幅の範囲内で、上流側の角穴部２ｂ（粗領域）の大きさと下流側の制御グリッド部２ｃ（密領域）の大きさの割合を調整する必要がある旨が記載されている。
　そして、刊行物２の上記記載に接した当業者であれば、刊行物１記載の発明において、上流側の粗領域の大きさと下流側の密領域の大きさの割合を、シールド電極の幅の範囲内で調整することとし（刊行物１の【０００５】〜【０００７】等には、帯電器を大型化しない旨の記載がある。）、必要とする帯電電位レベルや帯電均一性（例えば、帯電電位レベルは高くなくてもよいが、帯電均一性は高いものを求める場合があり得る。）や、帯電装置の詳細仕様（グリッド電極部の粗領域と密領域それぞれのメッシュの目開きサイズなど）、帯電・画像形成の詳細条件に応じて、好適化を行うことに、何ら困難性はなく、また、その好適化作業の結果として、上流側の粗領域を小さくし、下流側の密領域を大きくすること、すなわち、放電ワイヤーおよび静電潜像担持体との関係でいえば、本願補正発明のように「粗領域と密領域との境界が、上記静電潜像担持体の上記１本のワイヤーからの放電による表面電位の強度を示す分布のピークに対応する位置よりも静電潜像担持体の回転方向上流側に位置し、上記ピークが上記密領域に位置」するようになすことは、当業者が適宜なし得ることである。
　
（相違点２について）
　刊行物３には、スコロトロン帯電装置において、グリッド電極の開口率（グリッド全面積に対する穴やスリットの面積比率）が高いと、高速な帯電ができるが、帯電の均一性が悪く、開口率が低いと、帯電の均一性ができるが、帯電に要する時間がかかることが、記載されており、これは、公知であるばかりか、当業者に周知の事項ともいえる。
　また、刊行物４にあるように、静電潜像担持体の周速度が４００ｍｍ／ｓｅｃ以上であるような高速の画像形成（それに伴う高速の帯電）を行うものは、周知である。
　そして、刊行物１の【０００５】〜【０００７】等には、高速化が課題であるという記載がある。
　
　ところで、本願補正発明は、「上記静電潜像担持体の周速度が４００ｍｍ／ｓｅｃ以上であり」「周速度４００ｍｍ/ｓｅｃ以上において上記スコロトロン帯電装置にて上記静電潜像担持体を上記所定の電位に帯電させ得るように」と規定するが、本願補正発明で規定する、グリッド電極の粗領域と密領域のスリット幅およびスリットピッチの範囲が、静電潜像担持体の周速度が４００ｍｍ／ｓｅｃには適切であるとしても、それよりも高い周速度、例えば８００ｍｍ／ｓｅｃのようなものについても、適切であるかどうかは、具体的に確認もされておらず、不明である。
　さらに、本願補正発明は、「上記静電潜像担持体及び上記シールド電極が、静電潜像担持体の周速度が４００ｍｍ／ｓｅｃ未満の既存の低速機で使用されている静電潜像担持体及びシールド電極と同サイズでありながら」と規定するが、具体的なサイズは示されておらず、技術常識からみても具体的なサイズを特定することができず、各種サイズのものを想定するしかない。そうすると、本願補正発明で規定する、グリッド電極の粗領域と密領域のスリット幅およびスリットピッチの範囲が、従来の低速機の各種サイズに対して適切かどうかは、不明である。
　したがって、本願補正発明が規定する各種の数値範囲について、臨界的意義を認めることができない。
　
　これらのことを勘案すると、刊行物１記載の発明において、既存の低速機で使用されている静電潜像担持体及びシールド電極のサイズを変更することなく、高速度の程度と所定の帯電電位の程度に応じて、グリッド電極の開口率を調整し好適化することは、当業者であれば容易になし得ることであり、具体的には、本願補正発明のごとく、「上記グリッド電極は、複数のスリットを有しており、上記粗領域のスリット幅が２．０〜２．６ｍｍ、スリットピッチが２．１５〜２．７７ｍｍであり、上記密領域のスリット幅が１．２〜１．６ｍｍ、スリットピッチが１．３５〜１．７７ｍｍである」ようになすことは、当業者が適宜になし得ることである。
　
（相違点１，２全体としての検討）
　上記では相違点１，２個々について検討したが、全体としてみても、刊行物１記載の発明において、刊行物２〜４の技術事項や周知事項を指針として、シールド電極の幅の設定値（既存の低速機で使用されている静電潜像担持体及びシールド電極のサイズ）、必要とする帯電電位レベルや帯電均一性（帯電電位レベルは高くなくてもよいが、帯電均一性は高いものを求める場合）や、帯電装置の詳細仕様、帯電・画像形成の詳細条件（静電潜像担持体の周速度が４００ｍｍ／ｓｅｃ以上という条件を含む）に応じて、グリッド電極における粗領域及び密領域との境界位置、および、グリッド電極の粗領域と密領域のスリット幅、スリットピッチの範囲を好適化して、相違点１，２に係る本願補正発明のごとくなすことは、当業者が容易になし得ることである。
　
（３）まとめ
　以上のとおりであるから、本願補正発明は、刊行物１記載の発明、刊行物２〜４の技術事項、周知技術に基づいて当業者が容易に発明をすることができたものである。
　したがって、本願補正発明は、上記「２．」の記載要件不備によるだけでなく、特許法第２９条第２項の規定によっても、特許出願の際独立して特許を受けることができない。
　
４．むすび
　よって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明について
１．本願の請求項１に係る発明
　平成２１年９月１８日付けの手続補正は上記のとおり却下されたので、本願の請求項１〜５に係る発明は、平成２１年４月１３日付けの手続補正書により補正された請求項１〜５に記載された事項により特定されるとおりのものと認められるところ、その請求項１に係る発明（以下、「本願発明１」という。）は、次のとおりである。
　
　「【請求項１】
　表面に静電潜像が形成され回転駆動される静電潜像担持体と、該静電潜像担持体表面を所定の電位に帯電させる帯電装置とを備える電子写真装置であって、
　上記帯電装置が、上記静電潜像担持体と対向する位置に、該静電潜像担持体の回転方向と直交する方向を軸方向として配置され、高電圧が印加される１本のワイヤーと、該ワイヤーをシールドし、上記静電潜像担持体と対向する面が開放されたシールド電極と、該シールド電極の開放された面に配置されたメッシュ状のグリッド電極とを備えたスコロトロン帯電装置であり、
　上記グリッド電極は、メッシュの目開きが互いに異なる粗領域及び密領域を有しており、　上記粗領域と密領域とが、静電潜像担持体の回転方向上流側から下流側に向かってこの順に配置されていると共に、
　上記粗領域と密領域との境界が、上記静電潜像担持体の上記１本のワイヤーからの放電による表面電位の強度を示す分布のピークに対応する位置よりも静電潜像担持体の回転方向上流側に位置し、上記ピークが上記密領域に位置することを特徴とする電子写真装置。」
　
２．引用刊行物の記載事項
　これに対して、原査定の拒絶の理由に引用された引用文献１〜４は、上記「第２　３．（１）」に示した刊行物１〜４であり、その記載事項も前記したとおりである。
　
３．対比・判断
　本願発明１は、本願補正発明の「上記ワイヤーは、上記帯電装置において上記静電潜像担持体の回転方向の中心に位置しており、」「上記静電潜像担持体及び上記シールド電極が、静電潜像担持体の周速度が４００ｍｍ／ｓｅｃ未満の既存の低速機で使用されている静電潜像担持体及びシールド電極と同サイズでありながら、周速度４００ｍｍ/ｓｅｃ以上において上記スコロトロン帯電装置にて上記静電潜像担持体を上記所定の電位に帯電させ得るように、」という限定事項を省いたものに相当する。
　そうすると、本願発明１の構成要件の全てを含み、更に他の要件を付加したものに相当する本願補正発明が、刊行物１記載の発明、刊行物２〜４の技術事項、周知技術に基づいて当業者が容易に発明をすることができたものであるから、本願発明１も、同様の理由により、刊行物１記載の発明、刊行物２〜４の技術事項、周知技術に基づいて当業者が容易に発明をすることができたものである。
　
４．むすび
　以上のとおりであるから、本願の請求項１に係る発明は、特許法第２９条第２項の規定により、特許を受けることができないので、他の請求項について検討するまでもなく、本願は拒絶すべきものである。
　よって、結論のとおり審決する。